【手続補正書】
【提出日】平成28年4月12日(2016.4.12)
【手続補正１】
【補正対象書類名】特許請求の範囲
【補正対象項目名】全文
【補正方法】変更
【補正の内容】
【特許請求の範囲】
【請求項１】
物体側から像側へ順に配置された、負の屈折力を有する１つのレンズ群からなる前群、開口絞り、１以上のレンズ群を含み全体として正の屈折力を有する後群から構成され、広角端に比べて望遠端において、前記前群と前記後群の間隔が小さくなるように、ズーミングに際して隣り合うレンズ群の間隔が変化するズームレンズであって、
前記前群は最も物体側に負レンズＧ１１を有し、該負レンズＧ１１の像側のレンズ面は光軸から離れるにつれて正の屈折力が強くなる非球面形状であり、
該負レンズＧ１１の物体側のレンズ面の面頂点から像側のレンズ面の有効径の端部までの光軸方向の長さをｔ１１、該負レンズＧ１１の物体側のレンズ面の有効径の半径をｙ１１１、該負レンズＧ１１の焦点距離をｆ１１、前記前群の焦点距離をｆ１、広角端における前記後群の合成焦点距離をｆ２ｗ、広角端における全系の焦点距離をｆｗとするとき、
０．３６＜ｔ１１／ｙ１１１＜０．４７
−２．０＜ｆ１１／ｆｗ＜−１．３ 
−０．５８＜ｆ１／ｆ２ｗ＜−０．２０
なる条件式を満たすことを特徴とするズームレンズ。
【請求項２】
前記前群は、前記負レンズＧ１１の像側に配置された負レンズＧ１２を有し、該負レンズＧ１２は光軸から離れるにつれて負の屈折力が強くなる非球面形状のレンズ面を有することを特徴とする請求項１に記載のズームレンズ。
【請求項３】
前記前群は、前記負レンズＧ１１の像側に配置された負レンズＧ１２を有し、該負レンズＧ１２の材料の屈折率をＮ１２とするとき、
１．８０＜Ｎ１２＜２．１０
なる条件式を満たすことを特徴とする請求項１に記載のズームレンズ。
【請求項４】
前記前群は、前記負レンズＧ１１の像側に配置された負レンズＧ１２を有し、
前記負レンズＧ１１の物体側のレンズ面は非球面形状であり、前記負レンズＧ１２の物体側のレンズ面は非球面形状であり、前記負レンズＧ１１の物体側のレンズ面の光線有効径の半径の７割の高さにおける非球面量をＡｓｐｈ１１２、前記負レンズＧ１２の物体側のレンズ面の光線有効径の半径の７割の高さにおける非球面量をＡｓｐｈ１２２、前記負レンズＧ１１の材料の屈折率をＮ１１、前記負レンズＧ１２の材料の屈折率をＮ１２、前記前群の最も物体側のレンズ面と前記前群の最も像面側のレンズ面の光軸上の間隔をＤ１とするとき、
０．３０＜（Ａｓｐｈ１２２×（Ｎ１２−１）／Ｄ１）／（Ａｓｐｈ１１２×（Ｎ１１−１）／Ｄ１）＜１．００
なる条件式を満たすことを特徴とする請求項１に記載のズームレンズ。
【請求項５】
前記負レンズＧ１１の材料のアッベ数をν１１とするとき、
４０＜ν１１＜７０
なる条件式を満たすことを特徴とする請求項１乃至４のいずれか１項に記載のズームレンズ。
【請求項６】
前記負レンズＧ１１の物体側のレンズ面は非球面形状であり、前記負レンズＧ１１の物体側のレンズ面の光線有効径の半径の７割の高さにおける非球面量をＡｓｐｈ１１２、前記負レンズＧ１１の材料の屈折率をＮ１１、前記前群の最も物体側のレンズ面と前記前群の最も像側のレンズ面の光軸上の間隔をＤ１とするとき、
０．０１０＜Ａｓｐｈ１１２×（Ｎ１１−１）／Ｄ１＜０．０４０
なる条件式を満たすことを特徴とする請求項１乃至５のいずれか１項に記載のズームレンズ。
【請求項７】
望遠端における全系の焦点距離をｆｔとするとき、
−１．２０＜ｆ１／√（ｆｗ×ｆｔ）＜−０．８０
なる条件式を満たすことを特徴とする請求項１乃至６のいずれか１項に記載のズームレンズ。
【請求項８】
前記後群は、物体側から像側へ順に配置された、正の屈折力の第２１レンズ群、負の屈折力の第２２レンズ群、正の屈折力の第２３レンズ群から構成され、広角端に比べて望遠端において、前記第２１レンズ群と前記第２２レンズ群の間隔が増大し、前記第２２レンズ群と前記第２３レンズ群の間隔が縮小するように、ズーミングに際して各レンズ群が移動することを特徴とする請求項１乃至７のいずれか１項に記載のズームレンズ。
【請求項９】
前記第２２レンズ群の焦点距離をｆ２２、望遠端における全系の焦点距離をｆｔとするとき、
−２．５０＜ｆ２２／√（ｆｗ×ｆｔ）＜−１．００
なる条件式を満たすことを特徴とする請求項８に記載のズームレンズ。
【請求項１０】
前記第２３レンズ群の焦点距離をｆ２３、望遠端における全系の焦点距離をｆｔとするとき、
１．００＜ｆ２３／√（ｆｗ×ｆｔ）＜２．００
なる条件式を満たすことを特徴とする請求項８または９に記載のズームレンズ。
【請求項１１】
請求項１乃至１０のいずれか１項に記載のズームレンズと、該ズームレンズによって形成される像を受光する固体撮像素子とを有することを特徴とする撮像装置。
【手続補正２】
【補正対象書類名】明細書
【補正対象項目名】０００９
【補正方法】変更
【補正の内容】
【０００９】
本発明のズームレンズは、物体側から像側へ順に配置された、負の屈折力を有する１つのレンズ群からなる前群、開口絞り、１以上のレンズ群を含み全体として正の屈折力を有する後群から構成され、広角端に比べて望遠端において、前記前群と前記後群の間隔が小さくなるように、ズーミングに際して隣り合うレンズ群の間隔が変化するズームレンズであって、
前記前群は最も物体側に負レンズＧ１１を有し、該負レンズＧ１１の像側のレンズ面は光軸から離れるにつれて正の屈折力が強くなる非球面形状であり、
該負レンズＧ１１の物体側のレンズ面の面頂点から像側のレンズ面の有効径の端部までの光軸方向の長さをｔ１１、該負レンズＧ１１の物体側のレンズ面の有効径の半径をｙ１１１、該負レンズＧ１１の焦点距離をｆ１１、前記前群の焦点距離をｆ１、広角端における前記後群の合成焦点距離をｆ２ｗ、広角端における全系の焦点距離をｆｗとするとき、
０．３６＜ｔ１１／ｙ１１１＜０．４７
−２．０＜ｆ１１／ｆｗ＜−１．３ 
−０．５８＜ｆ１／ｆ２ｗ＜−０．２０
なる条件式を満たすことを特徴としている。
【手続補正３】
【補正対象書類名】明細書
【補正対象項目名】００１２
【補正方法】変更
【補正の内容】
【００１２】
以下に本発明の好ましい実施形態を添付の図面に基づいて詳細に説明する。本発明のズームレンズは、物体側から像側へ順に配置された、負の屈折力を有する１つのレンズ群からなる前群、開口絞り、１以上のレンズ群を含み、全体として正の屈折力を有する後群から構成されている。そして広角端に比べて望遠端において、前群と後群の間隔が小さくなるようにズーミングに際して、隣り合うレンズ群の間隔が変化するズームレンズである。
【手続補正４】
【補正対象書類名】明細書
【補正対象項目名】００２６
【補正方法】変更
【補正の内容】
【００２６】
前記ＬＦは最も物体側に負レンズ（負の屈折力のレンズ）Ｇ１１を有し、負レンズＧ１１の像側のレンズ面は光軸から離れるにつれて正の屈折力が強くなる非球面形状である。負レンズＧ１１の像側のレンズ面を光軸から離れるにつれて正の屈折力が強くなる（負の屈折力が弱くなる）非球面形状とすることで、負の屈折力の前群ＬＦより発生する収差、特に広角端において歪曲収差とコマ収差を良好に補正している。また、光軸から離れるにつれて正の屈折力が強くなる非球面形状とすると、図７に示すようにレンズ面は球面形状と比較して周辺形状が物体側に曲がっていく。このため、負レンズＧ１１の光軸方向の厚みｔ１１を薄くすることができる。
【手続補正５】
【補正対象書類名】明細書
【補正対象項目名】００２７
【補正方法】変更
【補正の内容】
【００２７】
即ち、負レンズＧ１１の像側のレンズ面を光軸から離れるにつれて正の屈折力が強くなる（負の屈折力が弱くなる）非球面形状とし、非球面量を大きくすることで、負レンズＧ１１の像側のレンズ面の曲率半径を小さな値としている。これにより負レンズＧ１１の光軸方向の厚みを薄くすることが容易となり、前玉有効径を小さくするのが容易となる。
【手続補正６】
【補正対象書類名】明細書
【補正対象項目名】００２８
【補正方法】変更
【補正の内容】
【００２８】
後群ＬＲは物体側から像側へ順に配置された、正の屈折力の第２１レンズ群Ｌ２１、負の屈折力の第２２レンズ群Ｌ２２、正の屈折力の第２３レンズ群Ｌ２３から構成される。広角端に比べて望遠端において第２１レンズ群Ｌ２１と第２２レンズ群Ｌ２２が大きく、第２２レンズ群Ｌ２２と第２３レンズ群Ｌ２３の間隔が小さくなるように各レンズ群が移動してズーミングを行う。これにより後群ＬＲに変倍効果を持たせて、所定のズーム比を確保している。また後群ＬＲに変倍効果を持たせることで、変倍に伴う前群ＬＦと後群ＬＲの相対移動量を小さくしている。
【手続補正７】
【補正対象書類名】明細書
【補正対象項目名】００３０
【補正方法】変更
【補正の内容】
【００３０】
各実施例において、前群ＬＦは最も物体側に負レンズＧ１１を有し、負レンズＧ１１の像側のレンズ面は光軸から離れるにつれて正の屈折力が強くなる非球面形状である。負レンズＧ１１の物体側のレンズ面の面頂点から像側のレンズ面の有効径の端部までの光軸方向の長さをｔ１１とする。負レンズＧ１１の物体側のレンズ面の有効径の半径をｙ１１１とする。負レンズＧ１１の焦点距離をｆ１１とする。前群ＬＦの焦点距離をｆ１とする。
【手続補正８】
【補正対象書類名】明細書
【補正対象項目名】００５４
【補正方法】変更
【補正の内容】
【００５４】
本発明のズームレンズは、負レンズＧ１１の像側に配置された、負レンズＧ１２を有し、負レンズＧ１２は光軸から離れるにつれて負の屈折力が強くなる非球面形状のレンズ面を有するのが好ましい。